(57)【要約】【課題】初対面の人とプロフィール交換を行う際に、自己の趣味／趣向について意識して送信しなくても、お互いの共通の趣味／趣向を知ることを可能にし、この共通の趣味／趣向から互いに会話を弾ませることを可能にする手段を提供する。【解決手段】携帯通信端末110から携帯通信端末220にプロフィールデータを送信する際に、携帯通信端末110の記憶部に保存されている所定のデータベースから抽出した興味要素データを興味要素一覧115として携帯通信端末220へ送信し、携帯通信端末220において、携帯通信端末110から受信した興味要素一覧115により携帯通信端末220の記憶部に保存されている所定のデータベースを検索して、一致する興味要素データを抽出する。【選択図】図３
2009182600.tif 000002
【特許請求の範囲】
【請求項１】
一方の携帯通信端末から他方の携帯通信端末にプロフィールデータを送信する際に、前記一方の携帯通信端末の記憶部に保存されている所定のデータベースから抽出した興味要素データを興味要素一覧として前記他方の携帯通信端末へ送信し、前記他方の携帯通信端末において、前記一方の携帯通信端末から受信した前記興味要素一覧により当該携帯通信端末の記憶部に保存されている所定のデータベースを検索して、一致する興味要素データを抽出することを特徴とする携帯通信端末によるプロフィールデータ交換方法。
【請求項２】
前記他方の携帯通信端末の電話帳登録確認画面に、前記抽出した興味要素データを共通趣味として表示するとともに、該電話帳登録確認画面の表示中に登録指示信号が入力されたとき、前記表示された共通趣味を該携帯通信端末の電話帳に登録することを特徴とする請求項１に記載の携帯通信端末によるプロフィールデータ交換方法。
【請求項３】
前記抽出された興味要素データの数に応じた共通趣味・趣向の相性割合を表示することを特徴とする請求項１に記載の携帯通信端末によるプロフィールデータ交換方法。
【請求項４】
前記所定のデータベースとして、ブックマーク登録情報、着信メロディや写真などのコンテンツをダウンロードした情報、電子クーポンの取得情報、入力文字列の履歴情報のうちの少なくとも一つを含んでいることを特徴とする請求項１〜３のいずれか１項に記載の携帯通信端末によるプロフィールデータ交換方法。
【請求項５】
少なくとも２つの携帯通信端末間でプロフィールデータの送受信を行うプロフィールデータ交換システムにおいて、
一方の携帯通信端末に、該携帯通信端末の記憶部に保存されている所定のデータベースから興味要素データを抽出して興味要素一覧を作成する興味要素一覧データ作成手段と、他方の携帯通信端末にプロフィールデータを送信する際に、前記興味要素一覧データ作成手段で作成した前記興味要素一覧を付加して送信するプロフィールデータ送信手段を備え、前記他方の携帯通信端末に、前記一方の携帯通信端末から送信された前記プロフィールデータを受信するプロフィールデータ受信手段と、該受信した前記プロフィールデータに付加されている前記興味要素一覧により当該携帯通信端末の記憶部に保存されている所定のデータベースを検索して、一致する興味要素データを抽出する共通興味要素検索手段を備えている、ことを特徴とする携帯通信端末によるプロフィールデータ交換システム。
【請求項６】
前記他方の携帯通信端末は、データベースとしての電話帳と、電話帳登録確認画面に前記共通興味要素検索手段で抽出した興味要素データを共通趣味として表示する手段と、該電話帳登録確認画面を表示中に登録指示信号が入力されたとき、前記表示された共通趣味を前記電話帳に登録する手段を備えていることを特徴とする請求項５に記載の携帯通信端末によるプロフィールデータ交換システム。
【請求項７】
前記抽出された興味要素データの数に応じて共通趣味・趣向の相性割合を判定する手段と、該判定結果を表示する手段を備えていることを特徴とする請求項５に記載の携帯通信端末によるプロフィールデータ交換システム。
【請求項８】
前記各携帯通信端末は、前記所定のデータベースとして、ブックマーク登録情報、着信メロディや写真などのコンテンツをダウンロードした情報、電子クーポンの取得情報、入力文字列の履歴情報のうちの少なくとも一つを備えていることを特徴とする請求項５〜７のいずれか１項に記載の携帯通信端末によるプロフィールデータ交換システム。
【請求項９】
自端末の記憶部に保存されているデータベースから興味要素データを抽出して興味要素一覧を作成する興味要素一覧データ作成手段と、該作成された興味要素一覧を付加したプロフィールデータを他端末へ送信するプロフィールデータ送信手段と、他端末の前記興味要素一覧が付加されたプロフィールデータを該他端末から受信するプロフィールデータ受信手段と、前記他端末から受信したプロフィールデータに付加されている前記興味要素一覧により前記データベースを検索して一致する興味要素データを抽出する共通興味要素検索手段を備えていることを特徴とする携帯通信端末。
【請求項１０】
前記携帯通信端末はデータベースとしての電話帳と、電話帳登録確認画面に前記共通興味要素検索手段で抽出した興味要素データを共通趣味として表示する手段と、該電話帳登録確認画面を表示中に登録指示信号が入力されたとき、前記表示された共通趣味を前記電話帳に登録する手段を備えていることを特徴とする請求項９に記載の携帯通信端末。
【請求項１１】
前記抽出した興味要素データの数に応じて共通趣味・趣向の相性割合を判定する手段と、該判定結果を表示する手段を備えていることを特徴とする請求項９に記載の携帯通信端末。
【請求項１２】
前記興味要素一覧データ作成手段により興味要素データが抽出されるデータベースとして、ブックマーク登録情報、着信メロディや写真などのコンテンツをダウンロードした情報、電子クーポンの取得情報、入力文字列の履歴情報のうちの少なくとも一つが含まれていることを特徴とする請求項９〜１１のいずれか１項に記載の携帯通信端末。
【請求項１３】
前記プロフィールデータ送信手段および前記プロフィールデータ受信手段は、赤外線通信手段、またはＩＣカードを通じて携帯通信端末間でデータを送受信するｉＣ通信手段によって構成されていることを特徴とする請求項９〜１２のいずれか１項に記載の携帯通信端末。
【請求項１４】
携帯通信端末が備えているコンピュータを、記憶部に保存されているデータベースから興味要素データを抽出して興味要素一覧を作成する手段と、該作成された興味要素一覧を付加したプロフィールデータを他端末へ送信する手段と、他端末の前記興味要素一覧が付加されたプロフィールデータを該他端末から受信する手段と、前記他端末から受信したプロフィールデータに付加されている前記興味要素一覧により前記データベースを検索して一致する興味要素データを共通興味要素として抽出する手段として機能させるためのプログラム。
【請求項１５】
前記抽出した興味要素データを共通趣味として電話帳登録確認画面に表示する手段と、該電話帳登録確認画面を表示中に登録指示信号が入力されたとき、前記表示された共通趣味を、データベースとして備えている電話帳に登録する手段として機能させる請求項１４に記載のプログラム。
【発明の詳細な説明】
【技術分野】
【０００１】
本発明は、携帯電話機等の携帯通信端末を用いて、携帯通信端末間でプロフィールデータを交換する方法に関する。
【背景技術】
【０００２】
現在、携帯電話機等の携帯通信端末には多くの機能が付加されており、日常生活には欠かせない存在になりつつある。このような携帯通信端末の機能の一つとして、初対面の人等の間で、携帯通信端末内に保存された名刺あるいはプロフィールデータを交換する技術が例えば特許文献１等において提案されている。
【０００３】
特許文献１に記載のプロフィールデータ交換システムでは、自己のプロフィールを設定して、携帯通信端末のプロフィール保存部に格納しておき、近距離のアドホックネットワーク等を利用して相手側携帯通信端末へ送信するとともに、相手側通信端末から受信した相手のプロフィールデータを自己のプロフィールデータと比較することにより、相手のプロフィールデータを自分が送信したプロフィールデータの開示レベルに合わせ、共通するデータ（趣味等）を携帯通信端末の表示部に表示している。このような操作を行うことにより、プロフィール交換後の話題を提供して、互いの親交を深める効果を期待している。
【０００４】
【特許文献１】特開２００７−２９３７４７号公報
【発明の開示】
【発明が解決しようとする課題】
【０００５】
特許文献１に記載のプロフィールデータ交換システムによれば、相手のプロフィールデータを自分が送信したプロフィールデータの開示レベルに合わせることにより、共通の開示レベルデータ（趣味・趣向等）が表示されるので、お互いの共通点を見出すことが容易となり、この共通点を話題とすることにより、互いの親交を深める効果が期待できる。
【０００６】
しかし、特許文献１に記載の発明では、そのために、自己のプロフィールを設定する際には、プロフィール内容の詳細度合を示す詳細度合識別子と個別プロフィールデータを含む開示レベルに合わせて階層化したプロフィールを設定しなければならず、また設定したプロフィールを、プロフィール保存部に保存しておく必要があり、プロフィールの設定操作が面倒である。
【０００７】
本発明の目的は、上述した課題を解決することが可能な、携帯通信端末を用いたプロフィール交換システムを提供することにある。
【課題を解決するための手段】
【０００８】
携帯電話機等の携帯通信端末には、該携帯通信端末を普段利用しているユーザの興味あるいは趣向を表す情報がデータとして多く保存されている。具体的には、興味のあるサイトのブックマーク登録情報、好きなアーティストの着信メロディや写真などのコンテンツをダウンロードした情報、よく利用するお店の電子クーポンの取得情報、あるいは、よく入力する文字列の履歴情報等が、データベースとして携帯通信端末内の記憶部に保存されている。
【０００９】
本発明は、このユーザの興味あるいは趣向を表す情報がデータとして保存されているデータベースに着目し、このデータベースからユーザの興味あるいは趣向データを抽出して相手側携帯通信端末へ送信することにより、お互いの共通の趣味／趣向を確認可能にすることを特徴とする。
【００１０】
具体的には、本発明の携帯通信端末によるプロフィールデータ交換方法は、一方の携帯通信端末から他方の携帯通信端末にプロフィールデータを送信する際に、前記一方の携帯通信端末の記憶部に保存されている所定のデータベースから抽出した興味要素データを興味要素一覧として前記他方の携帯通信端末へ送信し、前記他方の携帯通信端末において、前記一方の携帯通信端末から受信した前記興味要素一覧により当該携帯通信端末の記憶部に保存されている所定のデータベースを検索して、一致する興味要素データを抽出することを特徴とする。
【００１１】
本発明の携帯通信端末によるプロフィールデータ交換システムは、少なくとも２つの携帯通信端末間でプロフィールデータの送受信を行うプロフィールデータ交換システムにおいて、一方の携帯通信端末に、該携帯通信端末の記憶部に保存されている所定のデータベースから興味要素データを抽出して興味要素一覧を作成する興味要素一覧データ作成手段と、他方の携帯通信端末へプロフィールデータを送信する際に、前記興味要素一覧データ作成手段で作成した前記興味要素一覧を付加して送信するプロフィールデータ送信手段を備え、前記他方の携帯通信端末に、前記一方の携帯通信端末から送信された前記プロフィールデータを受信するプロフィールデータ受信手段と、該受信した前記プロフィールデータに付加されている前記興味要素一覧により当該携帯通信端末の記憶部に保存されている所定のデータベースを検索して、一致する興味要素データを抽出する共通興味要素検索手段を備えている、ことを特徴とする。
【００１２】
本発明の携帯通信端末は、自端末の記憶部に保存されているデータベースから興味要素データを抽出して興味要素一覧を作成する興味要素一覧データ作成手段と、該作成された興味要素一覧を付加したプロフィールデータを他端末へ送信するプロフィールデータ送信手段と、他端末の前記興味要素一覧が付加されたプロフィールデータを該他端末から受信するプロフィールデータ受信手段と、前記他端末から受信したプロフィールデータに付加されている前記興味要素一覧により前記データベースを検索して一致する興味要素データを抽出する共通興味要素検索手段を備えていることを特徴とする。
【００１３】
本発明のプログラムは、携帯通信端末が備えているコンピュータを、記憶部に保存されているデータベースから興味要素データを抽出して興味要素一覧を作成する手段と、該作成された興味要素一覧を付加したプロフィールデータを他端末へ送信する手段と、他端末の前記興味要素一覧が付加されたプロフィールデータを該他端末から受信する手段と、前記他端末から受信したプロフィールデータに付加されている前記興味要素一覧により前記データベースを検索して一致する興味要素データを共通興味要素として抽出する手段として機能させることを特徴とする。
【発明の効果】
【００１４】
本発明によれば、携帯通信端末に備えられている赤外線通信機能やＩＣカードを通じて携帯通信端末間で電話帳や写真・トルカなどのデータを送受信するｉＣ通信機能を用いて、他の形態通信端末にプロフィールデータ送信をする際に、携帯通信端末の記憶部に保存されている所定のデータベースから興味要素データを抽出し、抽出した興味要素一覧をプロフィールデータに付加して送信し、前記他の携帯通信端末では、受信した前記興味要素一覧により当該携帯通信端末の記憶部に保存されている所定のデータベースを検索して、一致する興味要素データを抽出して表示するので、ユーザは、相手に対して自己のプロフィール送信するに当たって、自己の趣味／趣向に関する情報を設定しなくても、お互いの共通の趣味／趣向を知ることが可能となる。
【００１５】
従って、例えば、初対面の人とプロフィール交換を行う際に本発明の携帯通信端末を用いれば、自己の趣味／趣向について意識して送信しなくても、お互いの共通の趣味／趣向を知ることができ、その後、この共通の趣味／趣向から互いに会話を弾ませることが可能となる。
【発明を実施するための最良の形態】
【００１６】
図１は、本発明の実施の形態における携帯通信端末の概略を示すブロック構成図である。
【００１７】
図１において、制御部(10)は、この携帯通信端末が備えている通話機能、電子メール機能、インターネット接続機能、赤外線通信機能などのすべての機能を制御する。この制御部(10)には、ＣＰＵ及びＣＰＵにより実行されるプログラムを格納するＲＯＭ、ＣＰＵの作業領域等に用いられるＲＡＭなどが含まれており、前記プログラムにしたがって、この携帯通信端末が備えている本発明の動作を含む各種動作を実行するコンピュータとしての機能を有している。
【００１８】
無線信号処理部(11)は、アンテナ(12)を介して基地局から受信した信号を、制御部(10)で処理できる信号に変換するとともに、制御部(10)から出力される、通話、電子メールやインターネット接続に係る信号を、アンテナ(12)を介して基地局へ送信する信号に変換する処理を行う。
【００１９】
赤外線通信部(13)は、例えばIrDAにより、他の携帯通信端末との間で赤外線通信によるデータの送受信を行う。データベース(14)には、ユーザが登録あるいは取得した電話帳情報、ブックマーク登録情報、着信メロディや写真などのコンテンツをダウンロードした情報、電子クーポンの取得情報、あるいはユーザが入力した文字列の履歴情報等の各種情報が格納されている。
【００２０】
表示部(15)は、この携帯通信端末の各種機能実行時に該機能と関連する情報を表示する液晶表示（ＬＣＤ）等からなる表示手段であり、キー入力部(16)は、数字や文字を入力するための入力手段、スピーカ(17)は音声出力手段、マイク(18)は音声入力手段である。
【００２１】
図２、図３は、本実施形態の動作を説明するための図であり、図４は、本実施形態の動作を示すフロー図である。
【００２２】
図２において、携帯通信端末(110)は、図１に示す携帯通信端末の構成を有しており、携帯通信端末(110)が備えているデータベース(14)には、携帯通信端末(110)が有しているブックマーク登録機能、マルチメディアコンテンツのダウンロード機能、電子クーポン機能、文字入力機能を用いて、この携帯通信端末(110)を日常的に利用しているユーザである大島よしお(101)により入力された、ブックマークデータ(111)、着うた着メロデータ(112)、電子クーポンデータ(113)、文字入力履歴のデータ(114)が格納されている。
【００２３】
本実施形態の携帯通信端末(110)は、大島よしお(101)のプロフィールデータを、携帯通信端末(110)が備えている赤外線通信部(13)を用いて他の携帯通信端末へ送信する際に、データベース(14)に保存されている、ブックマークデータ(111)、着うた着メロデータ(112)、電子クーポンデータ(113)、文字入力履歴のデータ(114)から、所定の規則に従って興味要素データを抽出して、興味要素一覧(115)を作成する手段と、該作成した興味要素一覧(115)を前記プロフィールデータに付加して送信する手段を備えている。
【００２４】
興味要素データを抽出するための所定の規則としては、例えば、ブックマークデータ(111)からはタイトル、着うた着メロデータ(112)からはアーティスト名／曲名、電子クーポンデータ(113)からは店舗情報のみ、文字入力履歴のデータ(114)からは名詞のみ、をそれぞれ抽出するように規定する。
【００２５】
このようにして作成した興味要素一覧(115)を前記のプロフィールデータに追加して、赤外線通信部(13)を介して他の携帯通信端末へ送信する。
【００２６】
図３において、林原可奈子(202)の携帯通信端末(220)も、図１に示す携帯通信端末の構成を有しており、この携帯通信端末(220)が有しているブックマーク登録機能、マルチメディアコンテンツのダウンロード機能、電子クーポン機能、文字入力機能により、携帯通信端末(220)が備えているデータベース(14)にも、ブックマークデータ(221)、着うた着メロデータ(222)、電子クーポンデータ(223)、文字入力履歴のデータ(224)が格納されている。
【００２７】
また、携帯通信端末(220)には、携帯通信端末(110)から受信した前記プロフィールデータに付加されている興味要素一覧(215)により、携帯通信端末(220)が備えているデータベース(14)に格納されている、ブックマークデータ(221)、着うた着メロデータ(222)、電子クーポンデータ(223)、文字入力履歴のデータ(224)を検索して、一致する興味要素データを抽出する共通興味要素検索手段と、表示部(15)に表示される電話帳登録確認画面(225)上に、抽出した興味要素データを共通趣味として表示する手段と、電話帳登録確認画面(225)を表示中に登録指示信号（YES）が入力されたとき、表示されている共通趣味を前記電話帳に登録する手段が備えられている。
【００２８】
次に、本実施形態の動作について、図１〜図４を参照して説明する。
【００２９】
例えば合コン会場において、大島よしお(101)が好みのタイプの林原可奈子(202)に対して積極的なアピールを行い、プロフィールデータを交換するところまでなんとかこぎつけて、携帯通信端末(110）をとりだし、林原可奈子(202)の携帯通信端末(220)へマイプロフィールの赤外線送信の操作を開始した（Ｓ１）。
【００３０】
その瞬間に携帯通信端末(110)では、データベース(14)内の、ブックマークデータ(111)、着うた着メロ(112)、電子クーポン(113)、文字入力履歴のデータ(114)から、所定の規則に従って興味要素データを抽出して興味要素一覧(115)を構築する（Ｓ２）。
【００３１】
具体的には、ブックマーク(111)からはブックマークのタイトル、着うた着メロ(112)からはアーティスト名／曲名、電子クーポン(113)からは店舗情報のみ（店舗情報以外の文字列「￥」「円」「ＯＦＦ」などを興味要素からフィルタリングするため）、文字入力履歴のデータからは名詞のみ（名詞以外を興味要素からフィルタリングするため）が興味要素一覧(115)へ追加される。
【００３２】
この興味要素一覧(115)が赤外線通信により、携帯通信端末(110)のマイプロフィールと同時に携帯通信端末(220)へ送られる。携帯通信端末(220)では、受信した興味要素一覧(215)と、携帯通信端末(220)が備えているデータベース(24)内のブックマーク(221)、着うた着メロ(222)、電子クーポン(223)、文字入力履歴(224)の各データとを比較し、文字列が一致する項目を検索する（Ｓ３）。
【００３３】  その結果、「働きマン」、「（公序良俗違反につき、不掲載）」、「カレー」が一致項目として検索され、これら検索された項目を共通興味要素として抽出する（Ｓ４）。検索が終了した後、受信した興味要素一覧(115)は携帯通信端末(220)からは破棄される（Ｓ５）。これはプライバシーの観点からによるものである。【００３４】  次に、これらの一致項目「働きマン」、「（公序良俗違反につき、不掲載）」、「カレー」を、大島よしお(101)と林原可奈子(202)の共通趣味・趣向として、携帯通信端末(220)の電話帳登録確認画面(225)に表示する（Ｓ６）。これを見た林原可奈子(202)は「働きマン見てるんだ。私も見てるよ」、「カレーが好きなんだね。どこかおいしい店知ってる？」のようにお互いの共通趣味・趣向のネタで出会って間もないにもかかわらず会話が盛り上がることが可能になる。【００３５】  その際、林原可奈子(202)が、携帯通信端末(220)の電話帳登録確認画面(225)に表示されている共通趣味「働きマン」、「（公序良俗違反につき、不掲載）」、「カレー」を、電話帳へ登録するYES操作を行うと、携帯通信端末(220)の電話帳に、大島よしお(101)のプロフィールデータとともに、共通趣味「働きマン」、「（公序良俗違反につき、不掲載）」、「カレー」が登録される。【００３６】
なお、上記動作説明では、携帯通信端末(110)から携帯通信端末(220)へプロフィールデータを送信する場合を説明したが、携帯通信端末(220)から携帯通信端末(110)へプロフィールデータを送信する場合にも同様の動作が実行される。
【００３７】
また、上記説明では、興味要素一覧を作成するための対象データベースを、ブックマーク(111)、着うた着メロ(112)、電子クーポン(113)、文字入力履歴(114)としたが、本発明はこれに限定されるものではない。例えば、ダウンロードコンテンツの興味要素としてピクチャや動画などでも可能である。
【００３８】
また、上記説明では、プロフィール交換を行ったユーザ同士の共通趣味・趣向を直接表示しているが、ユーザのプライバシー保護の観点から「あなたとの相性度は○○％」のように共通趣味・趣向の割合のみを伝えるだけでも良いとする。例えば、一致する興味データが１つあれば１０％、２つあれば２０％、１０個以上あれば１００％等の表示のみを行うようにする。
【００３９】
また、上記実施形態では、携帯通信端末に備えられている赤外線通信機能を用いてプロフィールデータの交換を行っているが、本発明は、データ通信方法として、ＩＣカードを通じて携帯通信端末間で電話帳や写真・トルカなどのデータを送受信するｉＣ通信機能等、適宜の通信手段で、プロフィールデータの交換を行うことが可能である。
【図面の簡単な説明】
【００４０】
【図１】本発明の実施の形態における携帯電話機の概略ブロック構成を示す図である。
【図２】本実施形態の動作を説明するための図である。
【図３】本実施形態の動作を説明するための図である。
【図４】本実施形態の動作を示すフロー図である。
【符号の説明】
【００４１】
１０  制御部
１１  無線信号処理部
１２  アンテナ
１３  赤外線通信部
１４，２４  データベース
１５  表示部
１６  キー入力部
１７  スピーカ
１８  マイク
１１０，２２０  携帯通信端末
１１１，２２１  ブックマーク
１１２，２２２  着うた着メロ
１１３，２２３  電子クーポン
１１４，２２４  文字入力履歴
１１５  興味要素一覧
２２５  電話帳登録確認画面
【図１】
2009182600.tif 000003
【図２】
2009182600.tif 000004
【図３】
2009182600.tif 000005
【図４】
2009182600.tif 000006